(57)【要約】【課題】ユーザによる迅速かつ柔軟な画像確認を可能とする画像表示装置、画像表示方法および画像表示プログラムを提供すること。【解決手段】格納された画像群の画像を撮像順に順次表示する画像表示装置４において、枚数切替部５３は、表示部３０に対して、撮像時間が連続する画像を一以上の枚数ごとに所定の擬似動画像領域に表示させる。また、画像表示装置４は、表示部３０の擬似動画像表示領域に表示される画像の枚数を指示する枚数情報を入力する入力部２０を備え、枚数切替部５３は、表示部３０が擬似動画像表示領域に表示する画像の枚数を枚数情報によって指示された枚数に切り替え、表示部３０に対して、擬似動画像表示領域に切り替えた枚数の画像を表示させる。【選択図】      図２
2006060611.tif 000002
【特許請求の範囲】
【請求項１】
格納された複数の画像を撮像順にしたがって所定の表示領域に順次表示する表示手段を備えた画像表示装置において、
前記表示手段に対して、撮像時間が連続する画像を一以上の枚数ごとに前記所定の表示領域に表示させる制御手段と、
前記表示手段の前記所定の表示領域に表示される画像の枚数を指示する枚数情報を入力する入力手段と、
を備え、前記制御手段は、前記所定の表示領域に表示される画像の枚数を前記枚数情報によって指示された枚数に切り替え、前記表示手段に対して該切り替えた枚数の画像を前記所定の表示領域に表示させることを特徴とすることを特徴とする画像表示装置。
【請求項２】
前記入力手段は、前記制御手段が切替可能である画像の枚数をそれぞれ表示した枚数アイコンを用いて、選択された前記枚数アイコンに対応した前記枚数情報を前記制御手段に出力することを特徴とする請求項１に記載の画像表示装置。
【請求項３】
前記所定の表示領域に表示される画像の撮像順位をそれぞれ表示し、前記所定の表示領域の画像の表示位置に対応して配置された順位アイコンを用いて、選択された前記順位アイコンの配置位置に対応した画像を選択する選択手段をさらに備えたことを特徴とする請求項１または２に記載の画像表示装置。
【請求項４】
前記画像は、被検体内部を撮像した画像であることを特徴とする請求項１〜３のいずれか一つに記載の画像表示装置。
【請求項５】
格納された複数の画像を撮像順にしたがって所定の表示領域に順次表示する画像表示方法において、
撮像時間が連続する画像を一以上の枚数ごとに前記所定の表示領域に表示する表示ステップと、
前記所定の表示領域に表示される画像の枚数を指示する枚数情報を入力する入力ステップと、
前記所定の表示領域に表示される画像の枚数を前記枚数情報によって指示された枚数に切り替える切り替えステップと、
を含み、
前記表示ステップは、前記所定の表示領域に前記切り替えた枚数の画像を表示することを特徴とする画像表示方法。
【請求項６】
格納された複数の画像を撮像順にしたがって所定の表示領域に順次表示する画像表示プログラムにおいて、
撮像時間が連続する画像を一以上の枚数ごとに前記所定の表示領域に表示する表示手順と、
前記所定の表示領域に表示される画像の枚数を指示する枚数情報を入力する入力手順と、
前記所定の表示領域に表示される画像の枚数を前記枚数情報によって指示された枚数に切り替える切り替え手順と、
を含み、
前記表示手順は、前記所定の表示領域に前記切り替えた枚数の画像を表示することを特徴とする画像表示プログラム。
【発明の詳細な説明】
【技術分野】
【０００１】
この発明は、格納された複数の画像を撮像順にしたがって所定の表示領域に順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信された外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護士においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、ディスプレイには、画像が所定の表示レートで順次表示される。ユーザである医者もしくは看護士は、順次に表示された画像の中から診断において必要な画像を選択している。ここで、従来、画像は、たとえば一枚ずつ表示されていたため、医者もしくは看護士は、画像を一枚ずつ視認しながら、必要な画面を選択していた。また、従来、ディスプレイに表示される画像枚数を変更することができなかった。しかしながら、カプセル型内視鏡は、通常の内視鏡と異なり被験者が飲込んで自然に排出されるまでの期間、各臓器を撮像するため、観察（検査）時間が長時間に及び、膨大な枚数の画像を撮像する。このような膨大な枚数の画像の中を一枚ずつ視認し、さらにディスプレイに表示される画像枚数を変更することができない場合、医者もしくは看護士による迅速かつ柔軟な診断を困難とし、医者もしくは看護士に大きな負担を課していた。
【０００６】
この発明は、上記した従来技術の欠点に鑑みてなされたものであり、ユーザによる迅速かつ柔軟な画像確認を可能とする画像表示装置、画像表示方法および画像表示プログラムを提供することを目的とする。
【課題を解決するための手段】
【０００７】
上述した課題を解決し、目的を達成するために、この発明にかかる画像表示装置は、格納された複数の画像を撮像順にしたがって所定の表示領域に順次表示する表示手段を備えた画像表示装置において、前記表示手段に対して、撮像時間が連続する画像を一以上の枚数ごとに前記所定の表示領域に表示させる制御手段と、前記表示手段の前記所定の表示領域に表示される画像の枚数を指示する枚数情報を入力する入力手段と、を備え、前記制御手段は、前記所定の表示領域に表示される画像の枚数を前記枚数情報によって指示された枚数に切り替え、前記表示手段に対して該切り替えた枚数の画像を前記所定の表示領域に表示させることを特徴とする。
【０００８】
また、この発明にかかる画像表示装置は、前記入力手段は、前記制御手段が切替可能である画像の枚数をそれぞれ表示した枚数アイコンを用いて、選択された前記枚数アイコンに対応した前記枚数情報を前記制御手段に出力することを特徴とする。
【０００９】
また、この発明にかかる画像表示装置は、前記所定の表示領域に表示される画像の撮像順位をそれぞれ表示し、前記所定の表示領域の画像の表示位置に対応して配置された順位アイコンを用いて、選択された前記順位アイコンの配置位置に対応した画像を選択する選択手段をさらに備えたことを特徴とする。
【００１０】
また、この発明にかかる画像表示装置は、前記画像は、被検体内部を撮像した画像であることを特徴とする。
【００１１】
また、この発明にかかる画像表示方法は、格納された複数の画像を撮像順にしたがって所定の表示領域に順次表示する画像表示方法において、撮像時間が連続する画像を一以上の枚数ごとに前記所定の表示領域に表示する表示ステップと、前記所定の表示領域に表示される画像の枚数を指示する枚数情報を入力する入力ステップと、前記所定の表示領域に表示される画像の枚数を前記枚数情報によって指示された枚数に切り替える切り替えステップと、を含み、前記表示ステップは、前記所定の表示領域に前記切り替えた枚数の画像を表示することを特徴とする。
【００１２】
また、この発明にかかる画像表示プログラムは、格納された複数の画像を撮像順にしたがって所定の表示領域に順次表示する画像表示プログラムにおいて、撮像時間が連続する画像を一以上の枚数ごとに前記所定の表示領域に表示する表示手順と、前記所定の表示領域に表示される画像の枚数を指示する枚数情報を入力する入力手順と、前記所定の表示領域に表示される画像の枚数を前記枚数情報によって指示された枚数に切り替える切り替え手順と、を含み、前記表示手順は、前記所定の表示領域に前記切り替えた枚数の画像を表示することを特徴とする。
【発明の効果】
【００１３】
本発明によれば、表示手段の所定の表示領域に表示される画像の枚数を指示する枚数情報を入力する入力手段と、所定の表示領域に表示される画像枚数を枚数情報によって指示された枚数に切り替え、表示手段に対して切り替えた枚数の画像を所定の表示領域に表示させる制御手段を備えることによって、表示手段の所定の表示領域に表示される画像枚数を簡易に切り替えることができ、ユーザによる迅速かつ柔軟な画像確認を実現することができる。
【発明を実施するための最良の形態】
【００１４】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００１５】
まず、実施の形態にかかる画像表示装置について説明する。本実施の形態にかかる画像表示装置は、表示画面における所定の表示領域に表示される画像の枚数を指示された枚数に切り替え、表示する。
【００１６】
図１は、本実施の形態における被検体内情報取得システムの全体構成を示す模式図である。図１に示すように、本実施の形態における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して送受信される無線信号の処理等を行う外部装置２ｂとを備える。
【００１７】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像を撮像順にしたがって順次表示する。なお、この順次表示された画像を擬似動画像という。
【００１８】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しは、コンパクトフラッシュ（登録商標）メモリ等の携帯型記録媒体５によって行う構成以外にも、外部装置２ｂと画像表示装置４との間を有線接続する構成をとることもできる。
【００１９】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０を備える。
【００２０】
入力部２０は、表示部３０が所定の擬似動画像表示領域に表示する画像の枚数を指示する枚数情報を入力する枚数情報入力部２１を有する。入力部２０は、キーボードやマウスなどのポインティングデバイスなどによって実現され、画像表示装置４の動作指示および画像表示装置４が行なう処理の指示情報を制御部５０に送出する。また、入力部２０は、擬似動画像表示領域に順次表示された画像のうち、所望の画像を選択する選択情報を制御部５０に出力する。
【００２１】
表示部３０は、ＣＲＴディスプレイ、液晶ディスプレイ等によって実現され、入力部２０の指示情報あるいは指示結果などを表示する。また、表示部３０は、擬似動画像として、カプセル型内視鏡３が撮像した画像群の各画像を撮影順にしたがって所定の擬似動画像表示領域に順次表示する。特に、表示部３０は、撮像時間が連続する画像を一以上の枚数ごとに擬似動画像表示領域に表示する。また、表示部３０は、入力部２０から出力された選択情報によって選択された画像の縮小画像を所定の縮小画像表示領域に表示する。
【００２２】
記憶部４０は、たとえばハードディスク装置などによって実現される。記憶部４０には、各種画像などが保持され、特に、カプセル型内視鏡３によって撮像された画像群Ｐａおよび制御部５０において生成された縮小画像群ＰｂがそれぞれフォルダＦ１，Ｆ２内に格納される。
【００２３】
制御部５０は、入力部２０、表示部３０、記憶部４０の各処理または動作を制御する。制御部５０は、枚数切替部５３および選択画像処理部５４を備える。枚数切替部５３は、表示部３０に対して、撮像時間が連続する画像を一以上の枚数ごとに擬似動画像表示領域に表示させる。枚数切替部５３は、枚数情報入力部２１から枚数情報が入力された場合、表示部３０の擬似動画像表示領域に表示する画像の枚数を枚数情報によって指示された枚数に切り替える。枚数切替部５３は、表示部３０に対して、擬似動画像表示領域に、この切り替えた枚数の画像を順次表示させる。選択画像処理部５４は、入力部２０から所望の画像を選択する選択情報が入力された場合、選択された画像をフォルダＦ１から抽出し、この抽出した画像に対する縮小画像を生成して、表示部３０に対して、この縮小画像を縮小画像表示領域に表示させる。
【００２４】
つぎに、図３を参照して、表示部３０の表示画面上に表示されるウィンドウについて説明する。図３は、表示部３０の表示画面の一例を示す図であり、表示部３０の表示画面には、ウィンドウＷが表示される。ウィンドウＷは、大きくは、擬似動画像表示領域Ａ１、縮小画像表示領域Ａ２、および切替枚数表示領域Ａ３を有し、擬似動画像表示領域Ａ１の右側領域には、縮小画像表示領域Ａ２が設けられ、擬似動画像表示領域Ａ１の上部には切替枚数表示領域Ａ３が設けられる。さらに、擬似動画像表示領域Ａ１の下部には、再生ボタン２４を含む動画表示制御ボタンが設けられる。
【００２５】
擬似動画像表示領域Ａ１には、画像Ｐ１，Ｐ２，Ｐ３，Ｐ４の順で撮像された４枚の画像が表示される。このように、擬似動画像表示領域Ａ１には、記憶部４０内に格納されたフォルダＦ１内の画像が撮像順に順次表示される。縮小画像表示領域Ａ２には、選択画像処理部５４が生成した縮小画像が撮像順に縮小画像が表示され、縮小画像の撮像順が容易に把握できる。切替枚数表示領域Ａ３には、枚数切替部５３が切り替え可能である画像の枚数をそれぞれ表示した枚数アイコンが表示される。ユーザが擬似動画像表示領域Ａ１に表示される画像枚数を「４枚」としたい場合、ユーザは、入力部２０のマウスを動かし、カーソル２３を「４枚」が表示された枚数アイコン上に移動させ、マウスの左ボタンをクリックする。このユーザの動作によって、枚数情報入力部２１は、各枚数アイコンのうち「４枚」が表示された枚数アイコンを選択し、擬似動画像表示領域Ａ１に表示する画像の表示枚数を「４枚」に指示する枚数情報を制御部５０に出力する。
【００２６】
つぎに、図４を参照して、制御部５０による画像表示処理手順について説明する。図４において、表示切替部５３は、擬似動画像表示領域に表示される画像の枚数を指示する枚数情報の入力をもとに、擬似動画像表示領域に表示される画像の枚数の切り替え指示があると判断した場合（ステップＳ１０２：Ｙｅｓ）、表示部３０の擬似動画像表示領域に表示する画像の枚数を枚数情報によって指示された枚数に切り替える（ステップＳ１０３）。擬似動画像表示領域は、所定の色（たとえば黒）で塗りつぶされた状態にする。枚数切替部５３が擬似動画像表示領域に表示される画像の枚数の切り替え指示がないと判断した場合（ステップＳ１０２：Ｎｏ）、または、枚数切替部５３が枚数の切り替えを行った場合（ステップＳ１０３）、制御部５０は、入力部２０からの擬似動画像表示を指示する指示情報の有無をもとに、擬似動画像表示の指示があったか否かを判断する（ステップＳ１０４）。たとえば、図３に示す再生ボタン２４上に、カーソル２３がある状態でマウスの左ボタンがクリックされることによって、擬似動画像表示を指示する指示情報が入力される。制御部５０が擬似動画像表示が指示されたと判断した場合（ステップＳ１０４：Ｙｅｓ）、枚数切替部５３は、表示部３０に対して擬似動画像表示を行わせる。枚数切替部５３は、記憶部４０のフォルダＦ１から、枚数情報に対応する枚数、予めデフォルト条件として設定されていた枚数または現表示中の枚数の画像を抽出し、表示部３０に対して、抽出した画像を擬似動画像表示領域に表示させる。一方、制御部５０は、擬似動画像が指示されていないと判断した場合（ステップＳ１０４：Ｎｏ）、ステップＳ１０２に戻る。
【００２７】
制御部５０は、入力部２０からの擬似動画像表示の終了を指示する指示情報があるか否かを判断し（ステップＳ１１０）、この指示情報があった場合（ステップＳ１１０：Ｙｅｓ）、擬似動画像表示を終了する。これに対し、制御部５０は、入力部からの擬似動画像表示の終了を指示する指示情報がないと判断した場合（ステップＳ１１０：Ｎｏ）、表示部３０が画像群Ｐ１の最終画像まで表示したか否かを判断する（ステップＳ１１２）。制御部５０は、表示部３０が画像群Ｐ１の最終画像まで表示したと判断した場合（ステップＳ１１２：Ｙｅｓ）、擬似動画像表示を終了する。
【００２８】
一方、表示部３０が画像群Ｐ１の最終画像まで表示していないと判断した場合（ステップＳ１１２：Ｎｏ）、枚数切替部５３は、枚数情報入力部２１からの枚数情報の有無をもとに、擬似動画像表示領域に表示される画像の表示枚数の切り替え指示があるか否かを判断する（ステップＳ１１４）。枚数切替部５３は、切り替え指示がないと判断した場合（ステップＳ１１４：Ｎｏ）、ステップＳ１０８に進み、擬似動画像表示を継続する。一方、枚数切替部５３は、切り替え指示があると判断した場合（ステップＳ１１４：Ｙｅｓ）、表示部３０の擬似動画像表示領域に表示する画像の枚数を枚数情報によって指示された枚数に切り替える（ステップＳ１１６）。その後、枚数切替部５３は、ステップＳ１０８に進み、記憶部４０のフォルダＦ１から、切り替えた枚数の画像を抽出し、表示部３０に対して、抽出した画像を擬似動画像表示領域に順次表示させて、擬似動画像表示を行わせる（ステップＳ１０８）。
【００２９】
ここで、図５を参照して、擬似動画像表示領域に表示される画像枚数の切り替えについて説明する。図５を用いて、擬似動画像再生停止時における擬似動画像表示領域に表示される画像枚数の切り替えについて説明する。再生停止時にユーザが擬似動画像表示領域Ａ１に表示される画像枚数をデフォルト条件である「４枚」から「２枚」に変更する場合を例に説明する。この場合、枚数情報入力部２１は、ユーザがカーソル２３を切替枚数表示領域Ａ３上の「２枚」が表示された枚数アイコン上でクリックすると、擬似動画像表示領域Ａ１に表示される画像の枚数を「２枚」に指示する枚数情報を制御部５０に出力する。その後、枚数切替部５３は、この枚数情報にしたがい、擬似動画像表示領域Ａ１に表示する画像枚数を「４枚」から「２枚」に切り替え、表示部３０に対して、「２枚」の画像を擬似動画像表示領域Ａ１に表示させる。この結果、擬似動画像再生時には、図５に示すように、擬似動画像表示領域Ａ１には、２枚の画像Ｐ５，Ｐ６が撮像順に表示され、ユーザが切替枚数表示領域Ａ３上の枚数アイコンのいずれかを選択しない限り、擬似動画像表示領域Ａ１には、所定の表示レートで２枚の画像が順次表示される。つぎに、擬似動画像再生時にユーザが擬似動画像表示領域Ａ１に表示される画像枚数を「４枚」から「２枚」に変更する場合を例に説明する。擬似動画像の表示中にユーザが擬似動画像表示領域Ａ１に表示される画像の枚数を切り替える場合には、所望の表示枚数を表示する枚数アイコン上にカーソル２３を移動させクリックすることによって、枚数情報入力部２１は、擬似動画像表示領域Ａ１に表示される画像の枚数である枚数情報を制御部５０に出力する。その後、枚数切替部５３は、この枚数情報にしたがって擬似動画像表示領域Ａ１に表示される画像の枚数を切り替え、切り替えた枚数で表示部３０に対して擬似動画像表示を行わせる。
【００３０】
このように、本実施の形態にかかる画像表示装置４は、表示部３０に対して、撮像時間が連続する画像を一以上の枚数ごとに所定の擬似動画像表示領域に表示させるため、ユーザによる迅速な画像確認を可能にするという効果を奏する。また、本実施の形態にかかる画像表示装置４では、擬似動画像表示領域に表示される画像の枚数を切り替える枚数切替部５３を備えることによって、ユーザは、擬似動画像の再生中あるいは再生停止中のいずれであっても、表示部３０の擬似動画像表示領域に表示される画像の枚数を自由に切り替えることができる。また、本実施の形態にかかる画像表示装置４はで、表示部３０は枚数切替部５３が切替え可能である画像の枚数を表示した枚数アイコンを表示する切替枚数表示領域を有し、入力部２０は擬似動画像表示領域に表示させる画像の枚数を表示した枚数アイコンを選択し枚数情報を入力するため、ユーザは、擬似動画像表示領域に表示される画像の枚数を簡易に切り替えることが可能である。したがって、本実施の形態にかかる画像表示装置４によれば、ユーザによる迅速かつ柔軟な画像確認を実現することができるという効果を奏する。
【００３１】
なお、本実施の形態にかかる画像表示装置４では、ユーザによって擬似動画像表示領域に表示された画像のうち所望の画像を選択された場合、選択画像処理部５４は、選択された画像をフォルダＦ１から抽出し、この抽出した画像に対する縮小画像を生成して、この縮小画像を表示部３０の縮小画像表示領域に表示させる画像選択処理を行う。この場合、図６に示すように、図４のステップＳ１０２〜ステップＳ１１６と同様に、枚数切り替え指示に対する判断処理（ステップＳ２０２）、枚数切り替え処理（ステップＳ２０３）、擬似動画像表示指示に対する判断処理（ステップＳ２０４）、擬似動画像表示処理（ステップＳ２０８）、擬似動画像表示終了指示に対する判断処理（ステップＳ２１０）、最終画像表示に対する判断処理（ステップＳ２１２）、表示枚数切り替え指示に対する判断処理（ステップＳ２１４）、枚数切り替え処理（ステップＳ２１６）を行う。その後、選択画像処理部５４は、入力部２０から入力された選択情報の有無をもとに、画像選択指示があるか否かを判断し（ステップＳ２１８）、画像選択指示がないと判断した場合（ステップＳ２１８：Ｎｏ）、ステップＳ２０８に進み、画像選択指示があると判断した場合（ステップＳ２１８：Ｙｅｓ）、画像選択処理（ステップＳ２２０）を行う。
【００３２】
ここで、所望の画像を選択する選択情報は、ユーザによって、図３に示すカーソル２３を擬似動画像表示領域Ａ１に表示された所望の画像上に移動されマウスの左ボタンをクリックされることによって、入力部２０から制御部５０に入力される。これに限らず、図７に示すような撮像順位表示領域Ａ４を設け、撮像順位表示領域Ａ４に表示された順位アイコンを選択することによって選択情報を入力してもよい。
【００３３】
撮像順位表示領域Ａ４は、擬似動画像表示領域Ａ１に表示される画像の撮像順位をそれぞれ示した順位アイコンを、擬似動画像表示領域Ａ１の画像の表示位置に対応して配置される。入力部２０は、この順位アイコンを用いて、選択された順位アイコンの配置位置に対応した画像を選択する選択情報を入力する。
【００３４】
たとえば、ユーザは、擬似動画像表示領域Ａ１に表示された４枚の画像のうち、撮像順位が「３」番である画像Ｐ３を所望する場合には、カーソル２３を撮像順位表示領域Ａ４の順位アイコン「３」上に移動させ、マウスの左ボタンをクリックする。この結果、入力部２０は、擬似動画像表示領域Ａ１に表示された４枚の画像のうち、撮像順位が「３」番である画像Ｐ３を選択する選択情報を制御部５０に出力する。その後、選択画像処理部５４は、この選択情報にしたがってフォルダＦ１から画像Ｐ３を抽出し、画像Ｐ３に対応する縮小画像Ｐｓ３を生成し、表示部３０に対して、縮小画像表示領域Ａ２に縮小画像Ｐｓ３を表示させる。この結果、図７に示すように、選択された画像Ｐ３に対する縮小画像Ｐｓ３が矢印Ｙ３に示すように縮小画像表示領域Ａ２に表示されることとなる。
【００３５】
このように、ユーザは、擬似動画像表示領域Ａ１に表示される画像の表示位置に対応して配置される順位アイコンをクリックすることによって所望の画像を選択することができるため、マウスを大きく移動させる必要がなく、簡易に所望の画像を選択することが可能となる。この結果、本実施の形態にかかる画像表示装置４によれば、ユーザの画像選択処理に対する負担を軽減することができる。
【００３６】
また、上記実施の形態で説明した画像表示装置４は、あらかじめ用意されたプログラムをパーソナル・コンピュータやワークステーションなどのコンピュータシステムで実行することによって実現することができる。以下、上記実施の形態で説明した画像表示装置と同様の機能を有する画像表示プログラムを実行するコンピュータシステムについて説明する。
【００３７】
図８は、上述した実施の形態を用いたコンピュータシステムの構成を示すシステム構成図であり、図９は、このコンピュータシステムにおける本体部の構成を示すブロック図である。図８に示すように、本実施の形態にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００３８】
また、このコンピュータシステム１００における本体部１０１は、図９に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００３９】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００４０】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００４１】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００４２】
【図１】実施の形態における被検体内情報取得システムの全体構成を示す模式図である。
【図２】実施の形態にかかる画像表示装置の概略構成を示すブロック図である。
【図３】図２に示す表示部の表示画面の一例を示す図である。
【図４】図２に示す制御部による画像表示処理手順を示すフローチャートである。
【図５】図２に示す表示部の表示画面の一例を示す図である。
【図６】図２に示す制御部による画像表示処理手順の他の例を示すフローチャートである。
【図７】図２に示す表示部の表示画面の一例を示す図である。
【図８】実施の形態を用いたコンピュータシステムの構成を示す構成図である。
【図９】図８に示したコンピュータシステムにおける本体部の構成を示すブロック図である。
【符号の説明】
【００４３】
１  被検体
２  受信装置
２ａ  受信ジャケット
２ｂ  外部装置
４  画像表示装置
５  携帯型記録媒体
２０  入力部
２１  枚数情報入力部
３０  表示部
４０  記憶部
５０  制御部
５３  枚数切替部
５４  選択画像処理部
２３  カーソル
２４  再生ボタン
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2006060611.tif 000003
【図２】
2006060611.tif 000004
【図３】
2006060611.tif 000005
【図４】
2006060611.tif 000006
【図５】
2006060611.tif 000007
【図６】
2006060611.tif 000008
【図７】
2006060611.tif 000009
【図８】
2006060611.tif 000010
【図９】
2006060611.tif 000011